(57)【要約】【課題】脱穀フィードチェーン１２からの脱穀排ワラを、株元側に挟持作用する株元側無端回動帯状体２１と、穂先側に係止作用する穂先側無端回動帯状体２２とによって搬送する排ワラ搬送装置において、株元搬送無端回動帯状体２１の搬送経路が張り側になるようにしながら、かつ、伝動系の構造を簡略化できるようにしながら株元側及び穂先側無端回動帯状体２１，２２を駆動できるようにする。【解決手段】穂先側無端回動帯状体２２の搬送始端部が巻回している始端側輪体２４に対して伝動手段７９によって動力源６９から動力伝達するようになっている。穂先側無端回動帯状体２２の搬送終端部が巻回している終端側輪体と、株元側無端回動帯状体２１の搬送終端部が巻回している終端側輪体とを連動軸７３ａによって連動させてある。【選択図】        図２
2004166665.tif 000002
【特許請求の範囲】
【請求項１】
脱穀フィードチェーンからの脱穀排ワラを、株元側に挟持搬送作用する株元側無端回動帯状体と、穂先側に係止搬送作用する穂先側無端回動帯状体とによって横架姿勢で脱穀機体後方側に搬送する排ワラ搬送装置を備えている脱穀装置であって、
前記穂先側無端回動帯状体の搬送始端部が巻回している始端側輪体に対して動力源から動力伝達する伝動手段を備え、前記穂先側無端回動帯状体の搬送終端部が巻回している終端側輪体を前記株元側無端回動帯状体の搬送終端部が巻回している終端側輪体に対して連動させている連動手段を備えてある脱穀装置。
【請求項２】
前記穂先側無端回動帯状体が係止搬送突起を備えた無端回動ベルトである請求項１記載の脱穀装置。
【発明の詳細な説明】
【０００１】
【発明の属する技術分野】
本発明は、脱穀フィードチェーンからの脱穀排ワラを、株元側に挟持搬送作用する株元側無端回動帯状体と、穂先側に係止搬送作用する穂先側無端回動帯状体とによって横架姿勢で脱穀機体後方側に搬送する排ワラ搬送装置を備えている脱穀装置に関する。
【０００２】
【従来の技術】
上記脱穀装置において、従来、たとえば特許文献１に示されるものがあった。すなわち、穂先側無端回動帯状体としての穂先係止搬送チェーンの搬送終端部が巻回しているスプロケット、及び、株元側無端回動帯状体としての株元挟持搬送チェーンの搬送終端部が巻回しているスプロケットに対して出力スプロケットが連動している伝動チェーン利用の伝動機構を、穂先係止搬送チェーンの横側にこの無端回動チェーンに沿わせて設け、動力源としての脱穀伝動ケースの出力を回転軸及び伝動ケースを介して前記伝動機構に入力するよう構成することにより、穂先係止搬送チェーン及び株元挟持搬送チェーンの駆動を可能にされたものがあった。
【０００３】
また、たとえば特許文献２に示されるものがあった。
すなわち、動力源としての扱胴支軸の駆動力を、株元側無端回動帯状体としての株元挟持搬送チェーンの搬送始端部が巻回しているスプロケットに動力伝達する伝動ベルト及び伝動ケースを備え、株元挟持搬送チェーンの搬送終端部が巻回しているスプロケットから入力軸を介して、穂先側無端回動帯状体としての穂先係止搬送チェーンの搬送終端部が巻回しているスプロケットに対して動力伝達するよう構成することにより、穂先係止搬送チェーン及び株元挟持搬送チェーンの駆動を可能にされたものがあった。
【０００４】
【特許文献１】
特開２０００−２８１２０６号公報  （  段落番号〔００１１〕―〔００１３〕、図１―２  ）
【特許文献２】
特開平１０−１９１７７１号公報  （  段落番号〔０００６〕、図１、図３  ）
【０００５】
【発明が解決しようとする課題】
株元側無端回動帯状体及び穂先側無端回動帯状体を駆動するのに、特許文献１に示された駆動技術を採用すれば、穂先側無端回動帯状体に沿わせて設ける伝動機構のために伝動系全体としての構造が複雑になっていた。特許文献２に示された駆動技術を採用すれば、株元側無端回動帯状体の搬送経路側と戻り経路側のうちの搬送経路側が緩み側になる問題があった。
【０００６】
本発明の目的は、伝動系全体としての構造を簡略化しながら、かつ、株元側無端回動帯状体の搬送経路側が張り側になるようにしながら株元側及び穂先側無端回動帯状体を駆動できる脱穀装置を提供することにある。
【０００７】
【課題を解決するための手段】
請求項１による発明の構成、作用、効果はつぎのとおりである。
【０００８】
〔構成〕
脱穀フィードチェーンからの脱穀排ワラを、株元側に挟持搬送作用する株元側無端回動帯状体と、穂先側に係止搬送作用する穂先側無端回動帯状体とによって横架姿勢で脱穀機体後方側に搬送する排ワラ搬送装置を備えている脱穀装置において、前記穂先側無端回動帯状体の搬送始端部が巻回している始端側輪体に対して動力源から動力伝達する伝動手段を備え、前記穂先側無端回動帯状体の搬送終端部が巻回している終端側輪体を前記株元側無端回動帯状体の搬送終端部が巻回している終端側輪体に対して連動させている連動手段を備えてある。
【０００９】
〔作用〕
動力源から伝動手段によって伝達される駆動力によって穂先側無端回動帯状体の始端側輪体が駆動され、この始端側輪体の駆動力によって穂先側無端回動帯状体が駆動される。この結果、この始端側輪体の駆動力が穂先側無端回動帯状体によってこの穂先側無端回動帯状体の終端側輪体に伝達され、この終端側輪体の駆動力が連動手段によって株元側無端回動帯状体の終端側輪体に伝達されてこの終端側輪体が駆動され、この終端側輪体によって株元側無端回動帯状体が駆動されるものである。これにより、従来の駆動技術では先側無端回動帯状体に沿わせて設ける必要があった伝動機構を不要にしながら、かつ、株元側無端回動帯状体が搬送終端側で駆動されて、その搬送経路側が張り側になるようにしながら株元側及び穂先側無端回動帯状体を駆動できる。
【００１０】
〔効果〕
従って、伝動系としては、動力源からの駆動力を穂先側無端回動帯状体の始端側輪体に伝達する伝動手段、及び、両無端回動帯状体の終端側輪体どうしを連動させる連動手段を備えるだけの構造簡単なもので済ませて安価に得られる。しかも、株元側無端回動帯状体の搬送経路側が張り側になり、搬送排ワラのボリュームが小である場合でも挟持が確実に行なわれてスムーズに搬送される。
【００１１】
請求項２による発明の構成、作用、効果はつぎのとおりである。
【００１２】
〔構成〕
請求項１による発明の構成において、前記穂先側無端回動帯状体が係止搬送突起を備えた無端回動ベルトである。
【００１３】
〔作用〕
株元側無端回動帯状体は脱穀排ワラを挟持搬送することから、株元側無端回動帯状体の駆動負荷は搬送排ワラのボリューム変化などに起因して変化しやすいが、株元側無端回動帯状体の駆動負荷が増大した場合、穂先側無端回動帯状体とこれが巻回している輪体の間でスリップが発生して株元側無端回動帯状体に対する伝動が停止されるようにできるものである。これにより、株元側無端回動帯状体にワラ詰まりが発生するなどした場合、伝動系などに破損が発生しないように穂先側無端回動帯状体によって伝動停止することができる。
【００１４】
〔効果〕
従って、ワラ詰まりが発生するなどして駆動負荷が増大した際の破損の防止ができるものを、穂先側無端回動帯状体を安全クラッチ手段に利用して安価に得られる。
【００１５】
【発明の実施の形態】
図１に示すように、左右一対のクローラ式走行装置１によって自走し、かつ、運転座席２を有した運転部などを備えた自走機体の機体フレーム３の前端部に、刈取り前処理装置４の前処理フレーム４ａの基端側を回動自在に連結し、前記機体フレーム３に脱穀装置１０及び穀粒タンク５（図２）を設けるとともに、脱穀装置１０の後部に排ワラ処理部６を設けて、コンバインを構成してある。
【００１６】
このコンバインは、稲・麦などの穀粒を収穫するものであり、前記前処理フレーム４ａに連結しているリフトシリンダ（図示せず）によって前処理フレーム４ａを機体フレーム３に対して上下に揺動操作することにより、刈取り前処理装置４が圃場面上の近くに下降した作業位置になったり、圃場面上から上昇離間した非作業位置になったりする。刈取り前処置装置４を下降作業位置にして自走機体を走行させると、刈取り前処置装置４が複数条の植立穀稈を引起装置４ｂによって引起し処理するとともにバリカン型の刈取り装置４ｃによって刈取り処理し、刈取穀稈を搬送装置４ｄによって機体後方側に搬送していく。脱穀装置１０が前記搬送装置４ｄからの刈取穀稈を脱穀部で回動する扱胴１１（図２）によって脱穀処理して脱穀粒を穀粒タンク５に供給し、脱穀排ワラを排ワラ処理部６で細断して放出するとか、長ワラのままで放出する。
【００１７】
図２、図３に示すように、前記排ワラ処理部６は、脱穀機体内の後部に設けた株元側無端回動チェーン２１及び穂先側無端回動ベルト２２を有した排ワラ搬送装置２０、及び、脱穀機体の後部に連結した細断ケース３１を有した排ワラ細断装置３０を備えて構成してある。
【００１８】
前記排ワラ搬送装置２０は、脱穀フィードチェーン１２の搬送終端部の横側近くに搬送始端部が位置し、搬送終端部が搬送始端部より脱穀機体後方側で、かつ、扱き口側とは反対側に位置するように脱穀機体の前後方向に対して傾斜した状態に配置した前記株元側無端回動チェーン２１、この株元側無端回動チェーン２１の搬送経路側に沿っている搬送ガイド杆２３、前記株元側無端回動チェーン２１より搬送排ワラの穂先側に株元側無端回動チェーン２１と並行に配置した前記穂先側無端回動ベルト２２を備えて構成してある。
【００１９】
株元側無端回動チェーン２１は、図５の如くリンクプレートに設けた茎稈挟持搬送突起を備えており、脱穀フィードチェーン１２からの脱穀排ワラの株元側を受け継ぎ、搬送ガイド杆２３との協働により挟持して脱穀機体後方に向けて、かつ、脱穀機体の扱き口側とは反対側の横側に向けて搬送する。穂先側無端回動ベルト２２は、これの長手方向での複数箇所から株元側無端回動チェーン２１の搬送突起よりも長く突出している茎稈係止搬送突起２２ａ（図６）を備えており、脱穀フィードチェーン１２からの脱穀排ワラの穂先側を前記搬送突起２２ａによって係止させて脱穀機体後方向きに搬送する。
【００２０】
図３に示すように、排ワラ細断装置３０は、排ワラ搬送装置２０の搬送終端部の下方に排ワラ受け入れ口３１ａが位置するように配置して脱穀機体の後側壁の外面側に取付けた前記細断ケース３１、この細断ケース３１の内部に脱穀機体の前後方向に並べて駆動回動自在に設けた回転カッター４０と回転供給体５０を備えて構成してある。
【００２１】
図８などに示すように、回転カッター４０は、六角軸で成る切断軸４１の軸芯方向での複数箇所に円板形の切断刃４２を取付け、切断刃４２どうしの間に切断刃間隔を設定間隔に保つとともに切断軸４１のワラ屑が巻き付くことを抑制するための筒体製のスペーサ４３を設けて構成してある。各切断刃４２は、切断軸４１の六角形状による係合によって切断軸４１と一体回転するようになっている。
【００２２】
図８などに示すように、回転供給体５０は、供給軸５１の軸芯方向での複数箇所に円板形の供給刃５２，５３を一体回転自在に取付けて構成してある。供給刃５２，５３は、排ワラの株元側に作用する部位では、一枚の前記切断刃４２に対して供給刃５２が一枚ずつ対応し、排ワラの穂先側に作用する部位では、一枚の切断刃４２に対して供給刃５２，５３が二枚ずつ対応するように配置してある。穂先側で各切断刃４２に対応する二枚の供給刃５２，５３のうちの一方の供給刃５２、及び、株元側で各切断刃４２に対応している供給刃５２は、この供給刃５２のボス部５２ａで供給軸５１に外嵌しているとともにボス部５２ａと供給軸５１の密着によって供給軸５１に対してこれと一体回転するように固定している。穂先側で各切断刃４２に対応している二枚の供給刃５２，５３のうちの他方の供給刃５３は、これのボス部５３ａを他方の供給刃５２に溶接してあり、これによって、供給軸５１と一体回転するようになっている。
【００２３】
つまり、排ワラ処理部６は、細断ケース３１の前記排ワラ受け入れ口３１ａの蓋体３２（図３）を枢支軸３３の軸芯まわりで揺動操作して排ワラ受け入れ口３１ａを開放した起立開き姿勢と、排ワラ受け入れ口３１ａを閉じた倒伏閉じ姿勢とに切り換えておくことにより、脱穀排ワラを細断して圃場に放出する細断処理や、脱穀排ワラを長ワラのままで圃場に放出する長ワラ処理を行なう。
すなわち、脱穀フィードチェーン１２からの脱穀排ワラを株元側無端回動チェーン２１と穂先側無端回動ベルト２２によって受け継いで横架姿勢で穂先側に寄せながら脱穀機体後方向きに搬送し、搬送ガイド杆２３から外れた搬送終端に至ると、株元側無端回動チェーン２１による挟持を解除して落下させる。
蓋体３２を起立開き姿勢にしてあると、株元側無端回動チェーン２１及び、穂先側無端回動ベルト２２からの脱穀排ワラを細断ケース３１の排ワラ受け入れ口３１ａから回転供給体５０と回転カッター４０の間の上に横架姿勢で落下させ、その排ワラを回転供給体５０が供給刃５２，５３によって回転カッター４０との間に供給して回転供給体５０の排ワラ稈身方向に並んでいる前記複数枚の供給刃５２，５３と、回転カッター４０の排ワラ稈身方向に並んでいる前記複数枚の切断刃４２によって切断して稈身方向に細断し、細断ワラを回転供給体５０と回転カッター４０の間から落下させて細断ケース３１の排出口３１ｂから圃場に落下させる。
蓋体３２を倒伏閉じ姿勢にしてあると、株元側無端回動チェーン２１及び、穂先側無端回動ベルト２２からの脱穀排ワラを蓋体３２の上面上に横架姿勢で落下させ、この蓋体３２の上面上を後方側に滑落させて細断ケース３１の後側から圃場に落下させる。
【００２４】
供給軸５１に対して密着によって一体回転自在に固定している前記供給刃５２は、次の如くして固定してある。
すなわち、供給軸５１の供給刃５２を支持する軸本体５１ｂを、ワラ屑が巻き付いたままになりにくいように約３４ｍｍの外径を備えた筒軸で構成し、供給刃５２を外嵌した状態にある軸本体５１ｂの内部に挿入した拡径加工具（図示せず）を軸本体５１ｂに対して相対移動させることによって軸本体５１ｂを外径が若干増大した状態に塑性変形するように拡径処理し、これにより、軸本体５１ｂと供給刃５２のボス部５２ａとを密着した状態にかしめて固定してある。
【００２５】
図９などに示すように、切断軸４１の細断ケース外に位置する端部に対して外嵌するとともに切断軸４１の六角形状による係合によって切断軸４１と一体回転するように構成した出力ギヤ６１、供給軸５１の軸本体５１ｂの端部に一体回転自在に連結した中実軸で成る供給軸５１の入力部５１ａに対して外嵌してあるとともにキー６２によって一体回転するように構成し、かつ、前記出力ギヤ６１に噛合うように構成した入力ギヤ６３を備えて成る伝動機構６０を切断軸４１と、供給軸５１の入力部５１ａとの間に設けてある。図９、図１０に示すように、切断軸４１の端部にカッター駆動プーリ６５を取付けるとともに、このカッター駆動プーリ６５は、切断軸４１の六角形状による係合のために切断軸４１と一体回転するように構成し、このカッター駆動プーリ６５、脱穀装置１０の唐箕駆動軸１３の端部に一体回転自在に取付けた出力プーリ１３ａ、脱穀装置１０の１番スクリュー駆動プーリ１４、２番スクリュー駆動プーリ１５、選別駆動プーリ１６、排塵ファン駆動プーリ１７、及びテンションプーリ１８のそれぞれにわたって同一の伝動ベルト６６を巻回してある。
【００２６】
供給軸５１の前記入力部５１ａの端部にフィードチェーン駆動スプロケット６７を取り付けるとともに、このフィードチェーン駆動スプロケット６７に前記脱穀フィードチェーン１２を巻回してある。前記フィードチェーン駆動スプロケット６７は、このスプロケット６７のボス部６７ａと前記入力部５１ａにわたって脱着自在に挿入するように構成したシアピン６８の連結作用のために供給軸５１と一体回転するようになっている。
【００２７】
すなわち、図２の如く脱穀機体の前端部の横外側に位置する動力源としての入力ケース６９に伝動ベルト６９ａによって自走機体の原動部からエンジン出力が伝達され、この入力ケース６９から伝動ベルト６９ｂによって前記唐箕駆動軸１３に伝達される駆動力を、唐箕駆動軸１３の入力側とは反対側の端部から前記出力プーリ１３ａによって取り出して伝動ベルト６６によって１番スクリューコンベヤ、２番スクリューコンベヤ、揺動選別装置、排塵ファンに伝達するとともに切断軸４１に伝達し、この切断軸４１から前記伝動機構６０によって供給軸５１に伝達して、排ワラ細断装置３０の回転カッター４０及び回転供給体５０を駆動するようになっている。切断軸４１から前記伝動機構６０によって供給軸５１に伝達される駆動力によってフィードチェーン駆動スプロケット６７を駆動し、このフィードチェーン駆動スプロケット６７によって脱穀フィードチェーン１２を駆動するようになっている。
【００２８】
伝動機構６０は、入力ギヤ６３の外径が出力ギヤ６１の外径より大きい（入力ギヤ６３の歯数が出力ギヤ６１の歯数より多い）ことにより、切断軸４１の回転速度を減速して供給軸５１に伝達するようになっている。これにより、回転供給体５０が回転カッター４０より低速で回転するようにして排ワラ細断装置３０を駆動するようになっている。また、唐箕及び排塵ファンの駆動速度の割には脱穀フィードチェーン１２の駆動速度が低速になるようにして脱穀フィードチェーン１２を駆動するようになっている。
【００２９】
図４、図６に示すように、前記穂先側無端回動ベルト２２は、脱穀機体に固定のメインフレーム７０（図２）の途中から延出している支持フレーム７１（図２）が支持している出力ケース７２の出力軸７２ａにおける延長部７２ｂによって一体回転自在に支持されている始端側プーリ２４と、前記メインフレーム７０の端部で支持されている連動ケース７３の連動軸７３ａの一端側で一体回転自在に支持されている終端側プーリ２５とにわたって巻回してある。図４、図５に示すように、前記株元側無端回動チェーン２１は、搬送フレーム７４の前端側に設けた始端側ガイド２６と、前記連動軸７３ａの他端側で一体回転自在に支持されている終端側スプロケット２７とにわたって巻回してある。
【００３０】
前記排ワラ細断装置３０の前記細断ケース３１は、排ワラ細断装置横方向における前記脱穀フィードチェーン駆動スプロケット６７が位置している側とは反対側の一端に配置した脱穀機体上下方向の軸芯Ｙまわりで回動自在に脱穀機体に支持させてあり、細断ケース３１の排ワラ細断装置横方向での他端側と脱穀機体の間に設けたロック機構（図示せず）をロック解除状態に切り換えることにより、排ワラ細断装置３０を前記軸芯Ｙ（図２）まわりで脱穀機体に対して回動操作できるようになっている。
【００３１】
図１１、図１２に示すように、前記脱穀フィードチェーン駆動スプロケット６７より脱穀機体前方側で脱穀機体の支持アーム部１０ａに一端側を支持させたピアノ線７６の他端側を、脱穀フィードチェーン駆動スプロケット６７の中央部に巻き付けて、この駆動スプロケット６７を前記ピアノ線７６に相対回転自在に支持させてある。
【００３２】
すなわち、排ワラ細断装置３０や脱穀装置１０の内部を点検するとか清掃するなどの作業を行なう際、排ワラ細断装置３０を前記軸芯Ｙまわりで脱穀機体に対して後方に回動操作して遊端側が脱穀機体から後方に離間した開き位置にすることにより、脱穀機体の後部や細断ケース３１の前部側を開放して作業が行いやすくなるようになっている。このとき、前記伝動ベルト６６を前記カッター駆動プーリ６５から取り外しておく。また、テンションアーム１９による脱穀フィードチェーン１２の緊張力付与を解除し、図１１に示す如く前記脱穀フィードチェーン駆動スプロケット６７に装着してある前記シアピン６８を抜き外して脱穀フィードチェーン駆動スプロケット６７を供給軸５１の入力部５１ａから取り外しておく。
脱穀フィードチェーン駆動スプロケット６７を供給軸５１の入力部５１ａから抜き外す際、前記ピアノ線７６を、これの駆動スプロケット６７に連結している側が脱穀機体に連結している側を揺動支点にして脱穀機体横外側に弾性変形させながら抜き外し操作する。供給軸５１から抜け外れた脱穀フィードチェーン駆動スプロケット６７及びこの駆動スプロケット６７に巻回している脱穀フィードチェーン１２は、ピアノ線７６によって空中に浮遊した状態に支持され、ピアノ線７６が脱穀フィードチェーン１２などの荷重のために弾性変形しても、供給軸５１の配置レベルに近い配置レベル位置した状態に維持され、排ワラ細断装置３０を脱穀機体に沿った閉じ位置に戻した際、脱穀フィードチェーン１２を供給軸５１の位置するレベルに持ち上げる操作を不要にして、かつ、駆動スプロケット６７及び脱穀フィードチェーン１２の荷重をピアノ線７６によって支持させながら駆動スプロケット６７を供給軸５１の入力部５１ａに付け戻すことができる。
【００３３】
図２、図４に示すように、前記入力ケース６９と前記出力ケース７２にわたっている円筒管で成る伝動ケース７７の内部に回転自在に位置している伝動軸７７ａ、前記出力ケース７２の内部で前記伝動軸７７ａと前記出力軸７２ａを連動させているベベルギヤ機構７８、及び、前記出力軸７２ａにより、前記入力ケース６９に伝達されたエンジンから駆動力を前記始端側プーリ２４に伝達する伝動手段７９を構成してある。前記連動ケース７３の前記連動軸７３ａにより、穂先側無端回動ベルト２２の搬送終端側が巻回している前記終端側プーリ２５を株元側無端回動チェーン２１の搬送終端側が巻回している前記終端側スプロケット２７に対して連動させる連動手段を構成してある。
【００３４】
すなわち、入力ケース６９に伝達された駆動力を伝動手段７９によって前記始端側プーリ２４に伝達してこの始端側プーリ２４を駆動し、この始端側プーリ２４によって穂先側無端回動ベルト２２を駆動するようになっている。穂先側無端回動ベルト２２によって回動される前記終端側プーリ２５の駆動力を連動手段７３ａによって前記終端側スプロケット２７に伝達してこの終端側スプロケット２７を駆動し、この終端側スプロケット２７によって株元側無端回動チェーン２１を駆動するようになっている。排ワラが詰まるなどして株元側無端回動チェーン２１の駆動負荷が増大すると、穂先側無端回動ベルト２２が終端側プーリ２５や始端側プーリ２４に対してスリップし、株元側無端回動チェーン２１に対する伝動を停止する。
【００３５】
前記伝動ケース７７の内部に位置している前記伝動軸７７ａは、脱穀装置１０の扱胴１１を支持している上部構造体を下部構造体に対して上下に揺動操作して扱室を開閉するための軸芯と同芯状に位置している。
【００３６】
〔別実施形態〕
株元側無端回動チェーン２１に替えて無端回動ベルトを採用して実施してもよく、また、穂先側無端回動ベルト２２に替えて無端回動チェーンを採用して実施してよいのであり、株元側を挟持搬送する無端回動チェーン２１や無端回動ベルトなどを総称して株元側無端回動帯状体２２と呼称し、穂先側を係止搬送する無端回動ベルト２２は無端回動チェーンなどを総称して穂先側無端回動帯状体２２と呼称し、始端側プーリ２４を始端側輪体２４と呼称し、終端側プーリ２５を終端側輪体２５と呼称し、終端側スプロケット２７を終端側輪体２７と呼称する。
【図面の簡単な説明】
【図１】コンバイン全体の側面図
【図２】排ワラ搬送装置の平面図
【図３】排ワラ処理部の側面図
【図４】株元側無端回動チェーン及び穂先側無端回動ベルトの配設部の平面図
【図５】株元側無端回動チェーンの側面図
【図６】穂先側無端回動ベルトの側面図
【図７】回転カッター及び回転供給体全体の平面図
【図８】回転カッター及び回転供給体の断面図
【図９】伝動機構の平面図
【図１０】排ワラ細断装置に対する伝動構造の側面図
【図１１】フィードチェーン駆動スプロケットの取り外し要領を示す平面図
【図１２】（イ）は、フィードチェーン駆動スプロケットの取付け状態での側面図、（ロ）は、フィードチェーン駆動スプロケットの取り外し状態での側面図
【符号の説明】
１２              脱穀フィードチェーン
２０              排ワラ搬送装置
２１              株元側無端回動帯状体
２２              穂先側無端回動帯状体
２２ａ            係止搬送突起
２４              穂先側無端回動帯状体の始端側輪体
２５              穂先側無端回動帯状体の終端側輪体
２７              株元側無端回動帯状体の終端側輪体
６９              動力源
７３ａ            連動手段
７９              伝動手段
【図１】
2004166665.tif 000003
【図２】
2004166665.tif 000004
【図３】
2004166665.tif 000005
【図４】
2004166665.tif 000006
【図５】
2004166665.tif 000007
【図６】
2004166665.tif 000008
【図７】
2004166665.tif 000009
【図８】
2004166665.tif 000010
【図９】
2004166665.tif 000011
【図１０】
2004166665.tif 000012
【図１１】
2004166665.tif 000013
【図１２】
2004166665.tif 000014